(57)【要約】【課題】建物を建設する際のイニシャルコスト、およびメンテナンスコストを低減することができる設備制御装置、設備制御システム、及び設備制御方法を提供する。【解決手段】本発明の一実施形態の設備制御装置は、建物における複数の居室の各々の設備をそれぞれ制御する設備制御装置であって、前記複数の居室それぞれの少なくとも温度を含む環境情報を、ネットワークを介して取得する取得部と、前記環境情報に基づいて、複数の居室の各々の設備をそれぞれ制御する設備制御情報を生成する制御部と、前記設備制御情報を、ネットワークを介して複数の居室の各々の設備の稼働装置に出力する出力部と、を備える。【選択図】図１
2019002591.tif 000002
【特許請求の範囲】
【請求項１】
建物における複数の居室の各々の設備をそれぞれ制御する設備制御装置であって、
前記複数の居室それぞれの少なくとも温度を含む環境情報を、ネットワークを介して取得する取得部と、
前記環境情報に基づいて、複数の居室の各々の設備をそれぞれ制御する設備制御情報を生成する制御部と、
前記設備制御情報を、ネットワークを介して複数の居室の各々の設備の稼働装置に出力する出力部と、
を備える設備制御装置。
【請求項２】
前記制御部は、各々の設備に対する制御を統一させた制御ロジックを用いて、複数の居室の各々における設備の設備制御情報を生成する、
請求項１に記載の設備制御装置。
【請求項３】
前記取得部により取得された前記制御ロジックの変更に関する変更情報に基づいて、当該制御ロジックを変更する変更部を更に備え、
前記取得部は、外部から前記変更情報を取得し、取得した前記変更情報を前記変更部に出力する
請求項２に記載の設備制御装置。
【請求項４】
請求項１から請求項３のいずれか一項に記載の設備制御装置と、
前記設備制御装置とネットワークを介して接続された建物における複数の居室の各々の設備をそれぞれ稼働させる稼働装置と、
を備える設備制御システム。
【請求項５】
前記設備制御装置は、複数の建物の各々における複数の居室それぞれの設備を稼働させる稼働装置とネットワークを介して通信可能である
請求項４に記載の設備制御システム。
【請求項６】
建物における複数の居室の各々の設備をそれぞれ制御する設備制御方法であって、
取得部が、前記複数の居室それぞれの温度、又は湿度の少なくともいずれかを示す環境情報を、ネットワークを介して取得する工程と、
制御部が、前記環境情報に含まれる情報に基づいて、複数の居室の各々の設備をそれぞれ制御する設備制御情報を生成する工程と、
出力部が、前記設備制御情報を、ネットワークを介して複数の居室の各々の設備に出力する工程と、
を有する設備制御方法。
【発明の詳細な説明】
【技術分野】
【０００１】
本発明は、設備制御装置、設備制御システム、及び設備制御方法に関する。
【背景技術】
【０００２】
従来の建物の設備の制御は、一般的に、内部に制御機器（ハードウェア）を集約した設備制御盤を設備の近傍に設置することにより行われている。例えば空調設備では、ＣＰ（シーピー：Control  Panel）盤と呼ばれる制御盤や、空調自動制御盤により行われている。ＣＰ盤には、例えば、居室内の温度や湿度を設定された温度、湿度に保たれるように空調設備の運転制御を行う制御機器（ハードウェア）が集約されている。
【先行技術文献】
【特許文献】
【０００３】
【特許文献１】特開２０１６−１９５５５５号公報
【発明の概要】
【発明が解決しようとする課題】
【０００４】
当然ながら建物ごと、居室（制御が必要機器の設置されている空間）ごとの設備はその建物に専用として設置される設備である。建物の中では、それぞれの設備を制御する設備制御盤をそれらの設備付近に個々に設置しなければならない。このため、建物を建設する際のイニシャルコスト、および制御ロジック設定コストや定期的な保守コスト（以下、メンテナンスコストと称する）が増加する原因となる。
【０００５】
本発明は、このような事情に鑑みてなされたものであり、その目的は、建物を建設する際の設備に対するイニシャルコスト、および設備のメンテナンスコストを低減することができる設備制御装置、設備制御システム、及び設備制御方法を提供することである。
【課題を解決するための手段】
【０００６】
上述した課題を解決するために本発明の一実施形態の設備制御装置は、建物における複数の居室の各々の設備をそれぞれ制御する設備制御装置であって、前記複数の居室それぞれの少なくとも温度を含む環境情報を、ネットワークを介して取得する取得部と、前記環境情報に基づいて、複数の居室の各々の設備をそれぞれ制御する設備制御情報を生成する制御部と、前記設備制御情報を、ネットワークを介して複数の居室の各々の設備の稼働装置に出力する出力部と、を備える。
【０００７】
上述した課題を解決するために本発明の一実施形態の設備制御装置は、前記制御部は、各々の設備に対する制御を統一させた制御ロジックを用いて、複数の居室の各々における設備の設備制御情報を生成する。
【０００８】
また、本発明の一実施形態の設備制御装置は、前記取得部により取得された前記制御ロジックの変更に関する変更情報に基づいて、当該制御ロジックを変更する変更部を更に備え、前記取得部は、外部から前記変更情報を取得し、取得した前記変更情報を前記変更部に出力する。
【０００９】
また、本発明の一実施形態の設備制御システムは、上記に記載の設備制御装置と、建物における複数の居室の各々の設備をそれぞれ稼働させる稼働装置であって、前記制御装置とネットワークを介して通信可能な稼働装置と、を備える。
【００１０】
また、本発明の一実施形態の設備制御システムは、複数の建物における複数の居室の各々の設備をそれぞれ稼働させる稼働装置とネットワークを介して通信可能である。
【００１１】
また、本発明の一実施形態の設備制御方法は、建物における複数の居室の各々の設備をそれぞれ制御する設備制御方法であって、取得部が、前記複数の居室それぞれの温度、又は湿度の少なくともいずれかを示す環境情報を、ネットワークを介して取得する工程と、制御部が、前記環境情報に含まれる情報に基づいて、複数の居室の各々の設備をそれぞれ制御する設備制御情報を生成する工程と、出力部が、前記設備制御情報を、ネットワークを介して複数の居室の各々の設備に出力する工程と、を有する。
【発明の効果】
【００１２】
以上説明したように、この発明によれば、建物を建設する際の設備に対するイニシャルコスト、および設備のメンテナンスコストを低減することができる。
【図面の簡単な説明】
【００１３】
【図１】実施形態における空調制御装置３が適用される空調制御システム１の構成例を示す図である。
【図２】実施形態における空調制御装置３の構成例を示す図である。
【図３】実施形態におけるＤＣ２のＣＰ盤２２の構成例を示す図である。
【図４】実施形態の変形例１における空調制御装置３Ａの構成例を示す図である。
【図５】実施形態の変形例２における空調制御システム１Ａの構成例を示す図である。
【発明を実施するための形態】
【００１４】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。なお、図面において、同一又は類似の部分には同一の符号を付して、重複する説明を省く場合がある。また、図面における要素の形状及び大きさ等はより明確な説明のために誇張されることがある。
【００１５】
明細書の全体において、ある部分がある構成要素を「含む」、「有する」や「備える」とする時、これは、特に反対の記載がない限り、他の構成要素を除くものではなく、他の構成要素をさらに含むことができるということを意味する。
【００１６】
以下、実施形態の設備制御装置、設備制御システム、および設備制御方法を、図面を参照して説明する。
【００１７】
（実施形態）
まず、実施形態の空調制御システム１（「設備制御システム」の一例）、および空調制御装置３（「設備制御装置」の一例）について説明する。
図１は、実施形態の空調制御装置３が適用される空調制御システム１の例を示す第１図である。空調制御システム１は、例えば、データセンタ（以下、ＤＣという）２（「建物」の一例と、空調制御装置３と、を備える。空調制御システム１において、ＤＣ２と空調制御装置３とは、例えば、通信網Ｂを介して接続される。ＤＣ２と空調制御装置３との間の通信は、例えば、通信網Ｂおよびネットワーク５（図５参照）を介して行われる。
【００１８】
ＤＣ２は、例えば、複数のサーバ室２０（サーバ室２０−１〜２０−Ｎ（Ｎは任意の自然数））（「居室」の一例）を備える。各々のサーバ室２０は、例えば、複数の空調設備２１（「設備」の一例）と、ＣＰ盤２２と、複数のサーバラック２３と、を備える。
【００１９】
サーバ室２０は、サーバが設置される空間である。各々のサーバ室２０のＣＰ盤２２は、空調設備２１を制御する空調制御情報（「設備制御情報」の一例）を、通信網Ｂを介して空調制御装置３から取得する。また、各々のサーバ室２０のＣＰ盤２２には、それぞれ自身のサーバ室２０の温度等を示す環境情報を、通信網Ｂを介して空調制御装置３に出力する。
【００２０】
空調設備２１は、ＣＰ盤２２からの稼働情報に従って稼働又は停止してサーバ室２０の冷却を含む空調処理を行う。ＣＰ盤２２は、空調制御情報に基づき、自身が設置されたサーバ室２０の空調設備２１を稼働、出力調整、または停止させる稼働情報を出力する。サーバラック２３には、サーバなどのコンピュータ、およびコンピュータに接続される電源ケーブル、ルータ、ネットワークケーブル等が配置される。
【００２１】
また、サーバ室２０は、サーバ室２０の温度や湿度等の環境に関する情報（環境情報）を検出する図示しない環境センサを複数備える。環境センサは、例えば、温度センサ、湿度センサ、風量センサ等である。サーバ室２０のＣＰ盤２２は、上記環境センサにより検出された温度等の検出結果を示す環境情報を、通信網Ｂを介して空調制御装置３に出力する。
【００２２】
なお、図１の例では、各々のサーバ室２０に三台の空調設備２１、一台のＣＰ盤２２、および４列のサーバラック２３が設置されているが、これに限定されない。各々のサーバ室２０には、少なくとも１台の空調設備２１と、その空調設備２１の運転を制御するＣＰ盤２２が備わっていればよい。サーバ室２０に設置される空調設備２１、ＣＰ盤２２、およびサーバラック２３の構成は、各々のサーバ室２０の状況に応じて決定されてよい。また、空調設備２１、ＣＰ盤２２、およびサーバラック２３のそれぞれが、サーバ室２０の室内のいずれ箇所に設置されていてもよいし、各々のサーバ室２０で、空調設備２１、ＣＰ盤２２、およびサーバラック２３それぞれの台数が異なっていてもよい。
【００２３】
空調制御装置３は、ＤＣ２における複数のサーバ室２０の各々の空調設備２１を統合的に制御する。空調制御装置３には、各々のサーバ室２０のＣＰ盤２２からの環境情報が、通信網Ｂを介して入力される。また、空調制御装置３は、空調制御情報を、各々のサーバ室２０に通信網Ｂを介して出力する。
【００２４】
図２は、実施形態における空調制御装置３の構成例を示す構成図である。空調制御装置３は、例えば、取得部３０と、記憶部３１と、制御部３２と、出力部３３と、を備える。
【００２５】
取得部３０は、通信網Ｂおよびネットワーク５を介して、ＤＣ２からの情報を受信する。取得部３０には、ＤＣ２における各々のサーバ室２０の環境情報が、入力される。取得部３０は、入力された環境情報を、各々のサーバ室２０を識別する識別情報に対応づけて記憶部３１に記憶させる。
【００２６】
記憶部３１は、例えば、ＨＤＤ（Ｈａｒｄ  Ｄｉｓｋ  Ｄｒｉｖｅ）、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、又はそれらの任意の組み合わせである。記憶部３１は、制御部３２において用いられる空調制御情報を生成するための実行プログラム、および制御部３２において用いられる種々の変数を記憶する。制御部３２において用いられる種々の変数には、各々のサーバ室２０の環境情報、各々のサーバ室２０に対して設定された温度を示す設定温度情報等が含まれる。
【００２７】
制御部３２は、例えば、ＣＰＵ（Ｃｅｎｔｒａｌ  Ｐｒｏｃｅｓｓｉｎｇ  Ｕｎｉｔ）等のプロセッサに記憶部３１に記憶された実行プログラムを実行させることにより、空調制御情報を生成する処理を行う。制御部３２は、例えば、記憶部３１に記憶されたサーバ室２０の環境情報、およびそのサーバ室２０の設定温度情報を、記憶部３１から取得する。そして、制御部３２は、例えば、環境情報に示されるサーバ室２０の温度が、設定温度情報に示される設定温度よりも高い場合には、サーバ室２０の温度を設定温度に調整するように当該サーバ室２０の空調設備２１を制御する空調制御情報を生成する。制御部３２は、生成した空調制御情報を出力部３３に出力する。
【００２８】
サーバ室２０の空調設備２１に求められる基本的な制御ロジックは、サーバ室２０の違いによらずほぼ同一の制御ロジックが利用可能である。このため、制御部３２は、各々の空調設備２１に対する制御を統一させた制御ロジックを用いて、複数のサーバ室２０の各々の空調設備２１の空調制御情報を生成する。例えば、制御部３２は、サーバ室２０−１の空調設備２１に対する空調制御情報を生成する場合と、サーバ室２０−２の空調設備２１に対する空調制御情報を生成する場合とでは、同じ制御ロジックをベースとして空調制御情報を生成する。
【００２９】
出力部３３は、通信網Ｂおよびネットワーク５を介して、ＤＣ２に情報を送信する。出力部３３は、制御部３２により生成された空調制御情報を対応するサーバ室２０に対して出力する。
【００３０】
図３は、実施形態におけるＤＣ２のＣＰ盤２２の構成例を示す図である。ＣＰ盤２２は、通信制御部２２０と、空調稼働部２２１と、を備える。
【００３１】
通信制御部２２０は、環境センサにより取得されたサーバ室２０の環境情報を、空調制御装置３の取得部３０に出力する。また、通信制御部２２０は、空調制御装置３の出力部３３により出力されたサーバ室２０の空調制御情報を取得する。通信制御部２２０は、取得した空調制御情報を、空調稼働部２２１に出力する。空調稼働部２２１は、通信制御部２２０から出力された空調制御情報に基づいて、空調設備２１を稼働、出力調整、または停止させる空調稼働情報を空調設備２１に出力する。すなわち、ＣＰ盤２２は、自身が空調設備２１の制御を設定温度等に基づいて制御ロジックを用いて行うのではなく、空調制御装置３の空調制御情報に基づいて、空調設備２１の稼働、出力調整、または停止を行う。
【００３２】
以上説明したように、実施形態の空調制御装置３は、ＤＣ２における複数のサーバ室２０の各々の空調設備２１をそれぞれ制御する空調制御装置３であって、複数のサーバ室２０それぞれの温度を少なくとも含む環境情報を、通信網Ｂおよびネットワーク５を介して取得する取得部３０と、環境情報に基づいて複数のサーバ室２０の各々の空調設備をそれぞれ制御する空調制御情報を生成する制御部３２と、空調制御情報を、通信網Ｂおよびネットワーク５を介して複数のサーバ室２０の各々の空調設備２１のＣＰ盤２２（「稼働装置」の一例）に出力する出力部３３と、を備える。
【００３３】
これにより、実施形態の空調制御装置３は、ＤＣ２を建設する際のイニシャルコスト、およびメンテナンスコストを低減することができる。実施形態の空調制御装置３が各々のサーバ室２０の温度を調整させる空調制御情報を一括して生成し、各々のサーバ室２０のＣＰ盤２２に出力させることができるため、個々のＣＰ盤２２に空調設備２１を制御する制御ロジックを備える必要がないためである。
【００３４】
また、実施形態の空調制御装置３では、制御部３２は、各々の空調設備２０に対して、統一させた制御ロジックを用いて、複数のサーバ室２０の各々の空調設備２１の空調制御情報を生成する。これにより、実施形態の空調制御装置３は、ＤＣ２を建設する際のイニシャルコストおよびメンテナンスコストを低減することができる。空調制御装置３内の制御ロジックに統一してまとめることができ、個々のＣＰ盤２２に構築していた制御ロジックを必要としないためである。
【００３５】
また、実施形態の空調制御システム１は、空調制御装置３と、ＤＣ２における複数のサーバ室２０の各々の空調設備２１をそれぞれ稼働させるＣＰ盤２２であって、空調制御装置３と通信網Ｂおよびネットワーク５を介して通信可能なＣＰ盤２２と、を備える。これにより、実施形態の空調制御システム１は、複数のサーバ室２０の各々のＣＰ盤２２に制御ロジックを実行させるＬＳＩ（Ｌａｒｇｅ  Ｓｃａｌｅ  Ｉｎｔｅｇｒａｔｉｏｎ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）、またはＰＬＣ（Ｐｒｏｇｒａｍｍａｂｌｅ  Ｌｏｇｉｃ  Ｃｏｎｔｒｏｌｌｅｒ）等のハードウェアを実装する場合より、ＣＰ盤２２を簡素化することができ、ＤＣ２を建設する際のイニシャルコスト、およびメンテナンスコストを低減することができる。
【００３６】
（実施形態の変形例１）
次に、図４を用いて、実施形態の変形例１における空調制御装置３Ａについて説明する。図４は、実施形態の変形例１における空調制御装置３Ａの構成例を示す図である。空調制御装置３Ａは、上記実施形態の取得部３０に代えて取得部３０Ａを備える点、および変更部３４を備える点において、上記実施形態と相違する。また、空調制御装置３Ａには、ＤＣ２や外部装置から制御ロジックの変更に関する変更情報が入力される点において、上記実施形態と相違する。また、以下に説明する以外の構成は、上記実施形態と同様である。
【００３７】
取得部３０Ａは、ＤＣ２または外部装置から入力された変更情報を取得する。ここでの外部装置は、例えば、空調制御装置３やＤＣ２に備えられた、あるいは空調制御装置３とネットワーク５を介して通信可能なコンピュータなどである。変更情報には、例えば、制御ロジックのアルゴリズムの変更や、制御ロジックが用いる設定温度や閾値などの変数の変更を示す情報が含まれる。取得部３０Ａは、取得した変更情報を変更部３４に出力する。
【００３８】
変更部３４は、取得部３０Ａから取得した変更情報に基づいて、例えば、記憶部３１に記憶させた実行プログラムを書き換えたり、記憶部３１に記憶された変数を書き換えたりする。
【００３９】
以上説明した実施形態の変形例１の空調制御装置３Ａは、取得部３０Ａにより取得された制御ロジックの変更に関する変更情報に基づいて、当該制御ロジックを変更する変更部３４を更に備え、取得部３０Ａは、外部から変更情報を取得し、取得した変更情報を変更部３４に出力する。これにより、実施形態の変形例１の空調制御装置３Ａは、ＤＣ２を建設する際のイニシャルコスト、およびメンテナンスコストを低減することができる。制御ロジックが更新された場合であっても、各々のＣＰ盤２２に実装した制御ロジックを変更する手間をかけることなく、外部から変更情報に基づいて制御ロジックを更新するだけで、ＤＣ２における複数のサーバ室２０の各々の空調設備２１のすべての制御を更新後の制御ロジックに基づいて制御できるためである。
【００４０】
（実施形態の変形例２）
次に、図４を用いて、実施形態の変形例２における空調制御装置３Ａについて説明する。変形例２は、空調制御装置３Ａの記憶部３１が、運転情報記憶部３１０を備える点において、上記実施形態と相違する。本変形例において、空調制御装置３Ａは、過去の空調運転に関する情報（運転情報）を運転情報記憶部３１０に記憶させる。過去の空調運転に関する情報は、例えば、サーバ室２０各々の環境情報と空調制御情報とを時刻に対応付けた情報である。以下に説明する以外の構成は、上記実施形態と同様である。
【００４１】
変形例２において、制御ロジックは、入力としての環境情報と、出力としての空調制御情報とを用いて機械学習が実行されることにより生成された学習モデルである。ここでいう環境情報と空調制御情報とは、例えば上記実施形態の制御ロジックに基づいて生成された情報であってもよいし、他のサーバ室２０における過去の運転情報に含まれる情報であってもよい。
【００４２】
変更部３４は、定期的に、あるいは外部（ＤＣ２または外部装置）から更新タイミングを示す信号が入力された場合に、運転情報記憶部３１０に記憶された運転情報を用いて機械学習を実行することにより、学習モデルを更新する。
これにより、空調制御装置３Ａは、取得部３０（３０Ａ）により取得された環境情報を、変更部３４により更新された学習モデルに入力させた場合に、当該更新された学習モデルから出力された結果を空調制御情報とする制御ロジックに変更する。これにより、空調制御装置３Ａは、運転情報記憶部３１０に記憶された過去の運転情報から学習した内容を含む制御ロジックに変更することができる。例えば、空調制御装置３Ａは、運転情報に空調設備２１が消費した消費電力に関する情報が含まれている場合には、運転情報記憶部３１０に記憶された過去の運転情報から、少ない消費電力で効率的に設定温度に調整されたパターンを抽出し、抽出した運転情報を用いて学習モデルを更新させる。これにより、変形例２の空調制御装置３Ａは、上述した効果を奏する他、効率的でかつ省エネルギーを実現するような空調制御情報を出力ことができる。
【００４３】
（実施形態の変形例３）
次に、図５に基づいて、実施形態の変形例３における空調制御システム１Ａについて説明する。図５は、実施形態の変形例３における空調制御システム１Ａの構成例を示す図である。空調制御システム１Ａは、複数のＤＣ２（ＤＣ２−１〜２−Ｍ、Ｍは任意の自然数）を備える点において、上記実施形態の空調制御システム１と相違する。また、以下に説明する以外の構成は、上記実施形態と同様である。
【００４４】
空調制御システム１Ａにおいて、空調制御装置３は、複数のＤＣ２各々における複数のサーバ室２０の各々の空調設備２１を制御する空調制御情報を生成する。空調制御装置３は、生成した空調制御情報を、ネットワーク５を介して対応するＤＣ２におけるサーバ室２０の各々の空調設備２１に対して出力する。例えば、空調制御システム１Ａの空調制御装置３は、ネットワーク上に設けられた複数のクラウドサーバを互いに連携させることで、空調制御情報を生成する。そして、空調制御システム１Ａの空調制御装置３が空調制御情報を生成するサービスを、クラウドサーバ上のＷｅｂサービスとして機能させてもよい。例えば、空調制御装置３は、クラウドサーバに実装された空調制御の制御ロジックを実行させることにより、空調制御情報を生成し、生成した空調制御情報を複数のＤＣ２における複数のサーバ室２０の各々のＣＰ盤２２に提供する。
【００４５】
以上説明した実施形態の変形例３の空調制御システム１Ａでは、空調制御装置３は、複数のＤＣ２における複数のサーバ室２０の各々の空調設備２１をそれぞれ稼働させるＣＰ盤２２とネットワーク５を介して通信可能である。これにより、実施形態の変形例３の空調制御システム１Ａでは、空調制御装置３は、複数のＤＣ２の複数のサーバ室２０の各々の空調設備２１をまとめて制御することができ、一つのＤＣ２に対して一つの空調制御装置３により空調設備２１の制御を行う場合よりも、イニシャルコストを低減することができる。また、例えば、空調制御システム１Ａの空調制御装置３が行う制御機能をクラウドサーバに置くことができる。この場合、空調制御システム１Ａの規模を拡大するには、クラウドサーバを増設すればよいため、システムの規模を容易に拡大することができる。また、ＤＣ２から空調制御装置３へのアクセスを複数のクラウドサーバに分散させることができ、１つの空調制御装置３にアクセスが集中して機能不全に陥ることを防止することができる。
【００４６】
上述した実施形態における空調制御システム１、１Ａ、および空調制御装置３、３Ａの全部または一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ等のプログラマブルロジックデバイスを用いて実現されるものであってもよい。
【００４７】
以上、この発明の実施形態について図面を参照して詳述してきたが、具体的な構成はこの実施形態に限られるものではなく、この発明の要旨を逸脱しない範囲の設計等も含まれる。
【００４８】
また、上述した実施形態において、空調制御装置３は、サーバ室２０の設定温度を、外部から取得するようにしてもよい。この場合、取得部３０は、ＤＣ２や外部装置などから送信された設定温度を示す情報を取得し、記憶部３１に記憶させる。これにより、制御部３２は、記憶部３１に記憶されている設定温度に基づいて、空調制御情報を生成することができる。このため、空調制御システム１、空調制御装置３は、変更されたサーバ室２０の設定温度を反映させた空調制御情報を容易に生成することができる。
【００４９】
また、上述した実施形態において、空調制御装置３は、各々のサーバ室２０に応じた設定温度を個別に設定できるようにしてもよい。この場合、取得部３０は、ＤＣ２や外部装置などにより送信された個別の設定温度を取得し、サーバ室２０に対応づけて記憶部３１に記憶させる。これにより、制御部３２は、記憶部３１に記憶されているサーバ室２０ごとの設定温度に基づいて、空調制御情報を生成することができる。このため、空調制御システム１、空調制御装置３は、個々のサーバ室２０の設定温度に対応させた空調制御情報を容易に生成することができる。
【００５０】
特許請求の範囲、明細書、及び図面中において示した装置、システム、プログラム、及び方法における動作、手順、ステップ、及び段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」等を用いて説明したとしても、この順で実施することが必須であることを意味するものではない。
【符号の説明】
【００５１】
１、１Ａ…空調制御システム、２、２−１〜２−Ｍ…ＤＣ、３、３Ａ…空調制御装置、３０、３０Ａ…取得部、３１…記憶部、３２…制御部、３３…出力部、３４…変更部、５…ネットワーク。
【図１】
2019002591.tif 000003
【図２】
2019002591.tif 000004
【図３】
2019002591.tif 000005
【図４】
2019002591.tif 000006
【図５】
2019002591.tif 000007